(57)【要約】【課題】宛名ラベルに印刷された個人情報を隠蔽した状態で簡単に剥がして廃棄する。【解決手段】隠蔽片３に連接された貼付片２を輪郭切り取り線１６で情報部４と周縁部５に区画し、表面の輪郭切り取り線６の周縁に剥離剤層１２を設け、周縁部５の裏面に剥離不能な強粘着部６と、情報部４の裏面に剥離可能な弱粘着部７と、裏面の輪郭切り取り線１６に沿って粘着力の無い非粘着部８を設ける。使用時には、貼付片２の上に隠蔽片３を貼り合わせた後、隠蔽片３に接着された貼付片２の情報部４を剥がし取り、個人情報を隠蔽した状態で廃棄する。【選択図】図２
2010243586.tif 000002
【特許請求の範囲】
【請求項１】
貼付片と隠蔽片が切り取り線で連接されたラベル帳票であって、
貼付片は、輪郭切り取り線を介して内側の情報部と外側の周縁部に区画されており、表面の輪郭切り取り線の周縁に剥離剤層が設けられ、周縁部の裏面に剥離不能な強粘着部と、情報部の裏面に剥離可能な弱粘着部と、裏面の輪郭切り取り線に沿って粘着力の無い非粘着部とが設けられており、
隠蔽片には、裏面を透視不能にする隠蔽層と、裏面に剥離不能な強粘着部とが設けられていることを特徴とするラベル帳票。
【請求項２】
貼付片が、粘着剤を全面塗布した強粘着部と、粘着剤を部分塗布した弱粘着部と、輪郭切り取り線に沿って粘着剤を塗布しない非粘着部とから構成されていることを特徴とする請求項１に記載のラベル帳票。
【請求項３】
貼付片が、粘着剤を全面塗布した強粘着部と、粘着剤の上をインキで部分的に被覆した弱粘着部と、輪郭切り取り線に沿って粘着剤の上をインキで全面的に被覆した非粘着部とから構成されていることを特徴とする請求項１に記載のラベル帳票。
【請求項４】
非粘着部に剥離剤を塗布した剥離剤層が設けられていることを特徴とする請求項２に記載のラベル帳票。
【発明の詳細な説明】
【技術分野】
【０００１】
本発明は、郵便物に貼付する宛名ラベルとして好適で、特に受取人が宛名ラベルを廃棄する際の取り扱い易さを高めたラベル帳票に関する。
【背景技術】
【０００２】
従来、例えばダイレクトメールや案内状等の郵便物を送付する場合、封筒に宛名ラベルを貼付して郵送するのが一般的である。受取人はこのような郵便物を受け取ると、封筒を開封して内容物を取り出した後、必要がなければ封筒を処分することになる。このとき、封筒に貼付された宛名ラベルには、郵送時に必要な情報として、受取人の宛先となる郵便番号、住所、氏名等の個人情報が印刷されている。
【０００３】
そこで、受取人はその個人情報が外部に漏れないようにするため、通常は封筒から宛名ラベルを引き剥がして別途廃棄している。ところが、一般的な宛名ラベルは、郵送途中で封筒から脱落しないように強粘着剤で接着されている。このため、封筒から宛名ラベルを剥がし取るのが難しく、剥がす途中で破れてしまう等、剥がして廃棄するまでの作業に時間が掛かるという問題があった。
【０００４】
なお、下記の特許文献１には、貼付票の上に隠蔽票を貼り付けて廃棄するようにした配送伝票が開示されている。この配送伝票は、貼付票に印刷された個人情報を隠蔽した状態で廃棄することができるが、貼付票が貼り付いた包装箱ごと廃棄する必要があり、包装箱から貼付票を剥がして廃棄することはできない。
【先行技術文献】
【特許文献】
【０００５】
【特許文献１】特開２００８−２１３３３５号公報
【発明の概要】
【発明が解決しようとする課題】
【０００６】
本発明は上記のような問題を解決するためになされたものであり、受取人が宛名ラベルを廃棄する際に、宛名ラベルに印刷された個人情報を隠蔽した状態でしかも簡単に剥がし取って処分することができるラベル帳票を提供することを目的とする。
【課題を解決するための手段】
【０００７】
上記の目的を達成するために、本発明は、貼付片と隠蔽片が切り取り線で連接されたラベル帳票であって、貼付片は、輪郭切り取り線を介して内側の情報部と外側の周縁部に区画されており、表面の輪郭切り取り線の周縁に剥離剤層が設けられ、周縁部の裏面に剥離不能な強粘着部と、情報部の裏面に剥離可能な弱粘着部と、裏面の輪郭切り取り線に沿って粘着力の無い非粘着部とが設けられており、隠蔽片には、裏面を透視不能にする隠蔽層と、裏面に剥離不能な強粘着部とが設けられていることを特徴とする。
【０００８】
また、本発明のラベル帳票において、貼付片が、粘着剤を全面塗布した強粘着部と、粘着剤を部分塗布した弱粘着部と、輪郭切り取り線に沿って粘着剤を塗布しない非粘着部とから構成されていても良い。あるいは、貼付片が、粘着剤を全面塗布した強粘着部と、粘着剤の上をインキで部分的に被覆した弱粘着部と、輪郭切り取り線に沿って粘着剤の上をインキで全面的に被覆した非粘着部とから構成されていても良い。
【０００９】
前者の構成の場合、特に、非粘着部に剥離剤を塗布した剥離剤層が設けられていることが好ましい。
【００１０】
本発明のラベル帳票を使用する場合、まず隠蔽片を切り取って、被着体に貼付されている貼付片の上に隠蔽片を重ねて貼り合わせる。このとき、貼付片は、その周縁部が裏面の強粘着部により被着体に剥離不能に貼付され、情報部が裏面の弱粘着部により被着体に剥離可能に貼付されている。また、非粘着部は被着体の上に重なった状態になっている。この状態で隠蔽片を引き剥がすと、輪郭切り取り線が切断され、隠蔽片に接着された情報部だけが被着体から剥離される。したがって、剥離した隠蔽片をそのまま廃棄すれば、情報部に印刷されている情報を隠蔽した状態で処分することができる。
【発明の効果】
【００１１】
本発明によれば、貼付片の上に隠蔽片を貼り合わせた後、隠蔽片を剥がすだけの作業で貼付片の情報部に印刷された情報を隠蔽した状態で廃棄することができる。よって、廃棄する際の作業を簡単に行えるとともに、被着体から剥がして廃棄するまでの時間を大幅に短縮することができ、取り扱い作業性が大幅に向上するという効果が得られる。
【図面の簡単な説明】
【００１２】
【図１】本発明のラベル帳票の外観を示す平面図。
【図２】図１のラベル帳票のラベル基材裏面の状態を示す平面図。
【図３】図１のラベル帳票のＡ−Ａ線断面図。
【図４】ラベル帳票を封筒に貼付した時の状態を示す説明図。
【図５】ラベル帳票から隠蔽片を剥離する時の状態を示す説明図。
【図６】隠蔽片を貼付片の上に貼り付けた時の状態を示す説明図。
【図７】隠蔽片を再剥離する時の状態を示す説明図。
【図８】本発明のラベル帳票の変形例を示す平面図。
【図９】図８のラベル帳票の断面図。
【発明を実施するための形態】
【００１３】
以下、本発明の実施の形態について、図面を参照しながら説明する。
【００１４】
図１は本発明の一実施形態に係るラベル帳票１の外観図である。図１において、本実施形態のラベル帳票１は、例えばダイレクトメールや案内状等の郵便物を送付する際に、封筒３０に貼り付けて宛名を表示するための宛名ラベルに適用したものである。このラベル帳票１は、規定の封筒サイズに適合する大きさのラベル基材１０からなり、中央部に切り取り線１５としてミシン目を形成し、このミシン目を境界として左側の貼付片２と右側の隠蔽片３が切り離し可能に連接された構造になっている。
【００１５】
ラベル帳票１の外周はカス上げ加工されており、これにより貼付片２の四つ角がラウンドカットされ、貼付片２が隠蔽片３に比べて大きいサイズに形成されている。また、貼付片２には、四辺を囲んだ輪郭切り取り線１６としてミシン目が形成されており、このミシン目により、内側の情報部４と外側の周縁部５の２つの領域に区画されている。周縁部５には、輪郭切り取り線１６の周縁に沿って隠蔽片３よりも広い領域を占めるように剥離剤を塗布した剥離剤層１２が設けられている。なお、情報部４は隠蔽片３よりも一回り小さいサイズに設定される。
【００１６】
図２はラベル帳票１をラベル基材１０の裏面から見た図である。図２に示すように、ラベル基材１０の裏面は、強粘着部６と、弱粘着部７と、非粘着部８という接着力の異なる３つの部分に区分されている。
【００１７】
強粘着部６は、周縁部５の裏面に粘着剤を全面に塗布して剥離不能な粘着剤層１１を設けたものである。これに対して、弱粘着部７は、情報部４の裏面に粘着剤を点在させて塗布することにより、粘着力を弱めた剥離可能な粘着剤層１１を設けたものである。また、非粘着部８は、輪郭切り取り線１６に沿ってその周囲に粘着剤を塗布せず、ラベル基材１０に粘着力を持たせないようにしたものである。更に、本実施形態では剥離性を高めるため、非粘着部８には輪郭切り取り線１６に沿ってシリコーン等の剥離剤を塗布した剥離剤層１２が設けられている。なお、隠蔽片３には、ラベル基材１０の裏面全体に粘着剤を塗布した粘着剤層１１が設けられている。
【００１８】
図３はラベル帳票１の断面構造を示したものである。図３において、ラベル基材１０の裏面には、使用時まで粘着面を保護するための剥離紙２０が貼付されている。剥離紙２０は、基材２１の表面にシリコーン等の剥離剤を全面に塗布して剥離剤層２２を設けたものである。この剥離紙２０をラベル基材１０の裏面に貼付することにより、貼付片２と隠蔽片３は、それぞれ粘着剤層１１と剥離剤層２２との境界面を介して剥離可能に貼り合わされている。
【００１９】
隠蔽片３には、透過防止加工として、ラベル基材１０の表面に黒色等の濃色系の印刷インキで全面印刷や地紋等の部分印刷を施した隠蔽層１３が設けられている。この隠蔽層１３はラベル基材１０の表面に印刷してあるが、ラベル基材１０の裏面側の情報を透視できなくするものであれば、特に構造は限定されない。例えば、ラベル基材１０の裏面やラベル基材１０の表裏両面に印刷しても良く、ラベル基材１０に着色フィルムを貼着したり色付き紙を貼付したりしても良い。
【００２０】
また、図３に明らかなように、貼付片２と隠蔽片３の境界に設けられた切り取り線１５は、表側のラベル基材１０と裏側の剥離紙２０を共に貫通する深さにカットしたミシン目であり、貼付片２に設けられた輪郭切り取り線１６は、少なくとも表側のラベル基材１０と剥離剤層１２を貫通する深さにハーフカットしたミシン目になっている。なお、切り取り易さを考慮して、輪郭切り取り線１６をミシン目に代えてスリットにしても良い。
【００２１】
本実施形態のラベル帳票１は以上のように構成されており、以下その使用方法について図４〜７に基づいて説明する。
【００２２】
図４に示すように、はじめに業者はダイレクトメール等の郵便物を送付するに際し、ラベル帳票１に印刷を行う。具体的には、貼付片２の内側の情報部４内に受取人の宛先となる郵便番号、住所、氏名からなる個人情報を印刷する。印刷後このラベル帳票１を裏返して、剥離紙２０の切り取り線（ミシン目）１５を切断し、貼付片２の部分のみ剥離紙２０を剥がし取る。そして、裏面に露出した強粘着部６により図のようにラベル帳票１を封筒３０の宛名面に貼り付けた後、内容物を封緘して郵送する。
【００２３】
受取人は封筒３０を受け取ると、それを開封して内容物を取り出した後、以下のようにして封筒３０の処分を行う。
【００２４】
まず、図５に示すように、隠蔽片３のコーナーカット１７を摘み、ラベル基材１０の切り取り線（ミシン目）１５を切断して隠蔽片３を引き剥がす。これにより、隠蔽片３は粘着剤層１１と剥離剤層２２との境界面で剥離される。
【００２５】
次に、図６に示すように、剥離した隠蔽片３を裏面の粘着剤層１１によって貼付片２の上に重ねて貼り合わせる。これにより、貼付片２の情報部４に印刷された個人情報が隠蔽層１３によって隠蔽される。
【００２６】
そして、図７に示すように、貼付片２の上に貼り合わせた隠蔽片３を引き剥がす。このとき、隠蔽片３は裏面の粘着剤層１１によって貼付片２に接着されている。また、貼付片２は、周縁部５が裏面の強粘着部６により封筒３０に強固に貼り付いているのに対して、情報部４は裏面の弱粘着部７により封筒３０に弱い力で貼り付いている。また、輪郭切り取り線１６の周囲は非粘着部８であり、ラベル基材１０に塗布した剥離剤層１２が封筒３０の上に重なった状態になっている。なお、輪郭切り取り線１６の周縁に剥離剤層１２が設けられているので、隠蔽片３は輪郭切り取り線１６の周縁部分については剥がれるが、輪郭切り取り線１６の内側部分については貼り付いたままである。したがって、図のように隠蔽片３を引き剥がすと、同時に貼付片２の輪郭切り取り線（ミシン目）１６が切断され、隠蔽片３に接着された貼付片２の情報部４だけが剥離される。
【００２７】
このように、本実施形態のラベル帳票１によれば、隠蔽片３に接着された貼付片２の情報部４だけが封筒３０から剥離されるので、この剥離した隠蔽片３をそのまま廃棄すれば良く、情報部４に印刷された個人情報を隠蔽した状態で処分することができる。なお、情報部４は隠蔽片３の粘着剤層１１によって強固に接着されて隠蔽されているので、印刷された個人情報を確実に保護することができる。
【００２８】
以上が本実施形態のラベル帳票１の構成及び使用方法であるが、以下のような変形例も考えられる。
【００２９】
図８と図９に示すように、このラベル帳票１は、ラベル基材１０の裏面の構成が上述した実施形態のものと異なっている。すなわち、弱粘着部７は、ラベル基材１０の裏面に塗布された粘着剤層１１の粘着面をインキによる印刷層１４で部分的に被覆するいわゆる糊殺し加工を施し、粘着剤層１１の粘着力を剥離可能な程度に弱めたものである。また、非粘着部８は、輪郭切り取り線１６に沿って粘着剤層１１の粘着面をインキのベタ印刷による印刷層１４で全面的に被覆することにより、その粘着力が完全に封じられている。この印刷層１４の形成方法としては、ラベル基材１０と剥離紙２０を一旦剥がし、剥離紙２０側にインキによる印刷層１４を形成した後貼り合わせ、印刷層１４を粘着剤層１１側に転写する方法を採用することができる。なお、その他の構成は上述した実施形態のものと同じである。
【００３０】
このような構造によっても、貼付片２は外側の周縁部５が裏面の強粘着部６により封筒３０に剥離不能に接着されるのに対して、内側の情報部４は弱粘着部７により封筒３０に剥離可能な弱い力で接着される。また、輪郭切り取り線１６の周囲は非粘着部８であり、印刷層１４によって粘着力が封じられ、封筒３０の上に重なった状態になる。このため、隠蔽片３を引き剥がすと、貼付片２の輪郭切り取り線（ミシン目）１６が切断され、隠蔽片３に接着された貼付片２の情報部４だけが剥離される。したがって、剥離した隠蔽片３をそのまま廃棄すれば、情報部４に印刷された個人情報を隠蔽した状態で処分することができ、印刷された個人情報を確実に保護することができる。
【符号の説明】
【００３１】
１  ラベル帳票
２  貼付片
３  隠蔽片
４  情報部
５  周縁部
６  強粘着部
７  弱粘着部
８  非粘着部
１０  ラベル基材
１１  粘着剤層
１２  剥離剤層
１３  隠蔽層
１４  印刷層
１５  切り取り線
１６  輪郭切り取り線
１７  コーナーカット
２０  剥離紙
２１  基材
２２  剥離剤層
３０  封筒
【図１】
2010243586.tif 000003
【図２】
2010243586.tif 000004
【図３】
2010243586.tif 000005
【図４】
2010243586.tif 000006
【図５】
2010243586.tif 000007
【図６】
2010243586.tif 000008
【図７】
2010243586.tif 000009
【図８】
2010243586.tif 000010
【図９】
2010243586.tif 000011